(57)【要約】【課題】ユーザにおける利便性を向上させつつ部材コストを低減することが可能な表示装置を提供する。【解決手段】第１前面、第１背面および第１側面を有する本体部と、１または複数のスピーカーユニットとスピーカーユニットを収容する筺体とを有し、本体部における第１側面および第１背面のうちの一方に対して選択的に着脱可能な１または複数のスピーカーボックスと、スピーカーボックスの第１側面への取付時および第１背面への取付時の双方において共通して用いられる取付部材とを備えた表示装置。【選択図】図１
2013012869.tif 000002
【特許請求の範囲】
【請求項１】
第１前面、第１背面および第１側面を有する本体部と、
１または複数のスピーカーユニットと前記スピーカーユニットを収容する筺体とを有し、前記本体部における前記第１側面および前記第１背面のうちの一方に対して選択的に着脱可能な１または複数のスピーカーボックスと、
前記スピーカーボックスの前記第１側面への取付時および前記第１背面への取付時の双方において共通して用いられる取付部材と
を備えた表示装置。
【請求項２】
前記取付部材は、
前記本体部側との結合および前記スピーカーボックス側との結合の双方に用いられる第１結合部と、
前記スピーカーボックス側との結合に選択的に用いられる第２結合部と
を有する請求項１に記載の表示装置。
【請求項３】
前記第１結合部は、前記第１側面への取付時および前記第１背面への取付時の双方において用いられる第１部材ねじ孔と、前記第１側面への取付時に選択的に用いられる第２部材ねじ孔とを有し、
前記第２結合部は、前記第１背面への取付時に選択的に用いられる第３部材ねじ孔を有する
請求項２に記載の表示装置。
【請求項４】
前記筺体は、前記スピーカーユニットの配置方向により規定される、第２前面、第２背面および第２側面を有し、
前記第２背面および前記第２側面にそれぞれ、前記本体部への取付時に用いられる孔が設けられている
請求項３に記載の表示装置。
【請求項５】
前記第２背面に、前記孔としての第１取付用孔および第１スピーカーねじ孔が設けられ、
前記第２側面に、前記孔としての第２取付用孔および第２スピーカーねじ孔が設けられている
請求項４に記載の表示装置。
【請求項６】
前記本体部における前記第１背面に、この第１背面への取付時に選択的に用いられる第１本体ねじ孔と、前記第１側面への取付時に選択的に用いられる第２本体ねじ孔とが設けられている
請求項５に記載の表示装置。
【請求項７】
前記第１側面と前記第２背面とが接触するようにして、前記スピーカーボックスが前記第１側面へ取り付けられる際には、
前記第１部材ねじ孔と前記第２本体ねじ孔とを用いてねじ止めされることにより、前記本体部における前記第１背面と前記第１結合部とが互いに結合され、
前記第２部材ねじ孔と前記第２スピーカーねじ孔とを用いてねじ止めされることにより、前記スピーカーボックスにおける前記第２側面と前記第１結合部とが互いに結合され、
前記第２結合部が前記第２取付用孔に挿入されることにより、前記スピーカーボックスにおける前記第２側面と前記第２結合部とが互いに結合されている
請求項６に記載の表示装置。
【請求項８】
前記第１側面と前記第２側面とが接触するようにして、前記スピーカーボックスが前記第１側面へ取り付けられる際には、
前記第１部材ねじ孔と前記第２本体ねじ孔とを用いてねじ止めされることにより、前記本体部における前記第１背面と前記第１結合部とが互いに結合され、
前記第２部材ねじ孔と前記第１スピーカーねじ孔とを用いてねじ止めされることにより、前記スピーカーボックスにおける前記第２背面と前記第１結合部とが互いに結合され、
前記第２結合部が前記第１取付用孔に挿入されることにより、前記スピーカーボックスにおける前記第２背面と前記第２結合部とが互いに結合されている
請求項６に記載の表示装置。
【請求項９】
前記第１背面と前記第２側面とが接触するようにして、前記スピーカーボックスが前記第１背面へ取り付けられる際には、
前記第１部材ねじ孔と前記第１本体ねじ孔とを用いてねじ止めされることにより、前記本体部における前記第１背面と前記第１結合部とが互いに結合され、
前記第３部材ねじ孔と前記第１取付用孔とを用いてねじ止めされることにより、前記スピーカーボックスにおける前記第２背面と前記第２結合部とが互いに結合されている
請求項６に記載の表示装置。
【請求項１０】
前記筺体は、前記スピーカーユニットの配置方向により規定される、第２前面、第２背面および第２側面を有し、
前記第２背面および前記第２側面にそれぞれ、前記本体部への取付時に用いられる孔が設けられている
請求項１に記載の表示装置。
【請求項１１】
前記第２背面に、前記孔としての第１取付用孔および第１スピーカーねじ孔が設けられ、
前記第２側面に、前記孔としての第２取付用孔および第２スピーカーねじ孔が設けられている
請求項１０に記載の表示装置。
【請求項１２】
前記本体部における前記第１背面に、この第１背面への取付時に選択的に用いられる第１本体ねじ孔と、前記第１側面への取付時に選択的に用いられる第２本体ねじ孔とが設けられている
請求項１に記載の表示装置。
【請求項１３】
前記スピーカーボックスが、前記第１側面としての下面または上面と、前記第１背面とのうちの一方に対して選択的に着脱可能となっている
請求項１に記載の表示装置。
【請求項１４】
前記スピーカーボックスが、前記第１側面としての右面および左面と、前記第１背面とのうちの一方に対して選択的に着脱可能となっている
請求項１に記載の表示装置。
【請求項１５】
前記本体部が、液晶表示素子または有機ＥＬ表示素子を用いて構成されている
請求項１に記載の表示装置。
【発明の詳細な説明】
【技術分野】
【０００１】
本開示は、薄型テレビジョン装置などに好適な表示装置に関する。
【背景技術】
【０００２】
近年、各種放送波やビデオ映像等の表示装置は、ますます大型化・薄型化が進み、映像表示領域を広く、表示領域外の領域（額縁領域）は狭くし、筐体の厚さも薄くした構成が求められている。すなわち、表示装置における狭額縁化や薄型化が望まれている。
【０００３】
また、従来の表示装置では、本体部（表示本体部）の筺体にスピーカーユニットが内蔵されていたが、最近では、このスピーカーユニットを含むスピーカーボックスが本体部に対して着脱可能となっている表示装置も提案されている（例えば、特許文献１参照）。
【先行技術文献】
【特許文献】
【０００４】
【特許文献１】特開２００４−３６３９５２号公報
【発明の概要】
【発明が解決しようとする課題】
【０００５】
このような着脱方式のスピーカーボックスを備えた表示装置では、本体部へのスピーカーボックスの取付態様の多様化が可能となるため、ユーザ（使用者，視聴者）の利便性が向上すると考えられる。
【０００６】
しかしながら、スピーカーボックスの取付手法によっては、利便性の向上と引き換えにコスト高（部材コストの増大）となってしまう場合もあり得ることから、ユーザにおける利便性を向上させつつ部材コストを低減することを可能とする手法の提案が望まれる。
【０００７】
本開示はかかる問題点に鑑みてなされたもので、その目的は、ユーザにおける利便性を向上させつつ、部材コストを低減することが可能な表示装置を提供することにある。
【課題を解決するための手段】
【０００８】
本開示の表示装置は、第１前面、第１背面および第１側面を有する本体部と、１または複数のスピーカーユニットとスピーカーユニットを収容する筺体とを有し、本体部における第１側面および第１背面のうちの一方に対して選択的に着脱可能な１または複数のスピーカーボックスと、スピーカーボックスの第１側面への取付時および第１背面への取付時の双方において共通して用いられる取付部材とを備えたものである。
【０００９】
本開示の表示装置では、スピーカーボックスが、本体部における第１側面および第１背面のうちの一方に対して選択的に着脱可能となっている。これにより、表示装置の使用態様（例えば、いわゆる据置型や壁掛型などの設置方式等）や使用目的（例えば、狭額縁化等のデザイン重視や、スピーカーユニットから出力される音質重視等の目的など）等に応じた、本体部へのスピーカーボックスの取付態様の多様化が実現される。また、この本体部へのスピーカーボックスの取付の際には、第１側面への取付時および第１背面への取付時の双方において、単一の取付部材が共通して用いられる（共用化されている）。これにより、例えば、第１側面への取付時と第１背面への取付時とで別々の（個別の，専用の）取付部材を用いる場合とは異なり、各々の取付時において使用しない（不要となる）部材（取付部材）が存在しなくなる。
【発明の効果】
【００１０】
本開示の表示装置によれば、スピーカーボックスが本体部における第１側面および第１背面のうちの一方に対して選択的に着脱可能となっていると共に、第１側面への取付時および第１背面への取付時の双方において取付部材が共通して用いられるようにしたので、本体部へのスピーカーボックスの取付態様の多様化を実現しつつ、各々の取付時に不要となる部材をなくすことができる。よって、ユーザにおける利便性を向上させつつ、部材コストを低減することが可能となる。
【図面の簡単な説明】
【００１１】
【図１】本開示の一実施の形態に係る表示装置の概略構成を表す模式図である。
【図２】図１に示したスピーカーボックスの外観構成を表す斜視図である。
【図３】図１に示した取付部材の外観構成を表す斜視図である。
【図４】比較例１に係る表示装置の断面構成を表す模式図である。
【図５】比較例２に係る表示装置の断面構成を表す模式図である。
【図６】図１に示した表示装置における第１の使用態様について説明するための模式図である。
【図７】図１に示した表示装置における第２の使用態様について説明するための模式図である。
【図８】図１に示した表示装置における第３の使用態様について説明するための模式図である。
【図９】変形例１に係る表示装置の概略構成を表す模式図である。
【図１０】変形例２に係る表示装置の概略構成を表す模式図である。
【発明を実施するための形態】
【００１２】
以下、本開示の実施の形態について、図面を参照して詳細に説明する。なお、説明は以下の順序で行う。
１．実施の形態（本体部の背面・下面に選択的にスピーカーボックスを取り付ける例）
２．変形例
変形例１（本体部の背面・上面に選択的にスピーカーボックスを取り付ける例）
変形例２（本体部の背面・左右面に選択的にスピーカーボックスを取り付ける例）
【００１３】
＜実施の形態＞
［表示装置１の構成］
図１は、本開示の一実施の形態に係る表示装置（表示装置１）の概略構成を模式的に表わしたものである。この表示装置１は、例えば薄型テレビジョン装置として用いられるものであり、画像表示のための平板状の本体部（表示本体部）２をスタンド３により支持した構成を有している。表示装置１はまた、スピーカーボックス４と、このスピーカーボックス４を本体部２に取り付ける際に用いられる、１つの取付部材５および２つの取付ねじ６Ａ，６Ｂとを備えている。この表示装置１は、スタンド３を本体部２に取り付けた状態で、床，棚または台などの水平面に載置して据置（テーブルトップ）型として用いられる他、スタンド３を本体部２から取り外した状態で壁掛型として用いることも可能となっている。なお、図１中には、符号Ｐ１で示した領域（本体部２における側面のうちの下面Ｓ２３側の領域）の断面構成例を模式的に示している。
【００１４】
（本体部２）
本体部２は、例えば、その前面Ｓ２１（第１前面）側（視聴者側）から背面Ｓ２２（第１背面）側に向かって順に、前面板２１、表示パネル２２、電子基板（制御用部品基板）２３、電子部品（制御用部品）２４およびリアカバー（背面カバー）２５を有している。本体部２はまた、前面板２１の周囲（額縁領域）および本体部２の側面（第１側面）全体に、枠体（ベゼル）２６を有している。なお、以下では図１等に示したように、水平方向（本体部２における表示面内の長軸方向）をＸ軸方向、垂直方向（本体部２における表示面内の短軸方向）をＹ軸方向、本体部２における厚み（奥行き）方向をＺ軸方向として説明する。
【００１５】
前面板２１は、例えば透明板ガラス等により構成されており、視聴者がこの前面板２１を通して表示パネル２２に表示される映像を視認することが可能となっている。なお、場合によっては、この前面板２１を設けないようにしてもよい。
【００１６】
表示パネル２２は、前面板２１の背面側に設けられており、例えば液晶表示素子を用いて構成されている。なお、表示パネル２２は、そのような液晶表示素子のほか、プラズマ，有機ＥＬ（Electro Luminescence），無機ＥＬ，エレクトロデポジションもしくエレクトロクロミックなどの他の表示素子を用いたものであってもよい。
【００１７】
電子基板２３は、マイクロコンピュータ等の制御ＩＣ（Integrated Circuit）や電源ＩＣ，抵抗素子，容量素子などからなる電子部品２４を搭載する基板であり、例えばプリント配線等を介して所定の回路が形成されるようになっている。なお、この電子基板２３上の電子部品２４と表示パネル２２とは、図示しない配線等を介して、直接もしくは間接的に電気的接続がなされるようになっている。
【００１８】
リアカバー２５は、電子基板２３および電子部品２４の背面側（本体部２の最背面）に配設されている。リアカバー２５は、例えば、ＡＢＳ樹脂（アクリロニトリル−ブタジエン−スチレン樹脂）、ＰＳ（ポリスチレン）、ＰＣ樹脂（ポリカーボネート樹脂）にＡＢＳ樹脂を添加したもの、または、ＰＳにＰＰＥ（ポリフェニレンエーテル）を添加したものなどの樹脂材料により構成されている。なお、リアカバー２５を、そのような樹脂材料の代わりに、例えば、鉄、アルミニウム、ステンレス等の金属材料により構成し、例えば塗装鋼板、ラミネート鋼板、ヘアライン仕上げ等としてもよい。
【００１９】
このリアカバー２５（本体部２の背面Ｓ２２）には、２種類のねじ孔２５１，２５２（貫通孔）が設けられている。ねじ孔２５１（第１本体ねじ孔）は、ねじ孔２５２（第２本体ねじ孔）と比べて背面Ｓ２２上の上側（Ｙ軸方向の正側）に配設されており、スピーカーボックス４を背面Ｓ２２に取り付ける際に選択的に用いられるねじ孔である。一方、ねじ孔２５２は、ねじ孔２５１と比べて背面Ｓ２２上の下側（Ｙ軸方向の負側）に配設されており、スピーカーボックス４を下面Ｓ２３に取り付ける際に選択的に用いられるねじ孔である。なお、スピーカーボックス４の取付態様の詳細については、後述する（図６〜図８）。
【００２０】
（スピーカーボックス４）
図２は、スピーカーボックス４の外観構成を斜視図で表わしたものである。スピーカーボックス４は、図１および図２に示したように、スピーカーユニット４０と、このスピーカーユニット４０を収容（内蔵）する筺体（外装部材）４１とを有している。このスピーカーボックス４は、後述するように、本体部２における下面Ｓ２３および背面Ｓ２２のうちの一方に対して選択的に着脱可能となっている。
【００２１】
スピーカーユニット４０は、外部へ音声（音楽や効果音等を含む）を出力する部材（音声出力部）であり、図２に示したように、ここでは一例として、Ｘ軸方向（筺体４１の長軸方向）に沿って、右用および左用の音声を出力するための２つのスピーカーユニット４０が配設されている。
【００２２】
筺体４１は、ここでは、Ｘ軸方向を長軸方向とする矩形状となっており、スピーカーユニット４０の配置方向により規定される、前面Ｓ４４（第２前面）、背面Ｓ４１（第２背面）、ならびに上面Ｓ４３および下面Ｓ４２を含む側面（第２側面）を有している。つまり、ここでは、スピーカーユニット４０から音声が出力される側の面を前面Ｓ４４、この前面Ｓ４４と対向する面を背面Ｓ４１と規定している。
【００２３】
この筺体４１には、その背面Ｓ４１および下面Ｓ４２にそれぞれ、スピーカーボックス４を本体部２へ取り付ける際に用いられる孔（２種類の孔）が設けられている。具体的には、背面Ｓ４１には、筺体４１自体が内部側に窪むことにより形成された取付用孔４２１（第１取付用孔）と、筺体４１に対する孔であるねじ孔４３１（第１スピーカーねじ孔）とが設けられている。また、下面Ｓ４２にも同様に、筺体４１自体が内部側に窪むことにより形成された取付用孔４２２（第２取付用孔）と、筺体４１に対する孔であるねじ孔４３２（第２スピーカーねじ孔）とが設けられている。なお、図２に示したように、ここではＸ軸方向に沿って、取付用孔４２１，４２２およびねじ孔４３１，４３２がそれぞれ３つ（３組）ずつ設けられているが、これらの孔の数はこれには限られず、１組のみ、あるいは２組ずつや４組以上ずつ設けられているようにしてもよい。
【００２４】
（取付部材５）
図３は、取付部材５の外観構成を斜視図で表わしたものである。取付部材５は、詳細は後述するが、スピーカーボックス４を本体部２の下面Ｓ２３へ取り付ける際および背面Ｓ２２へ取り付ける際の双方において共通して用いられる（共用される）部材（共通の取付部材）である。この取付部材５は、例えば、樹脂、鉄、アルミニウム、ステンレス等の材料により構成されており、Ｙ軸方向に沿って延在する平板状の結合部５Ａ（第１結合部）と、この結合部５Ａと略直交するように屈曲されてなる平板状の結合部５Ｂ（第２結合部）とからなる。すなわち、取付部材５は、結合部５Ａ，５Ｂが互いに略直交するように屈曲された、Ｌ字状の形状となっている。
【００２５】
結合部５Ａは、詳細は後述するが、本体部２側との結合およびスピーカーボックス４側との結合の双方に用いられる結合部（取付部）であり、Ｙ軸方向に沿って２つのねじ孔５１，５２（貫通孔）を有している。ねじ孔５１（第１部材ねじ孔）は、ねじ孔５２（第２部材ねじ孔）と比べて結合部５Ｂ側（Ｙ軸方向の負側）に配設されており、スピーカーボックス４を本体部２の下面Ｓ２３へ取り付ける際と背面Ｓ２２へ取り付ける際との双方において用いられるねじ孔である。一方、ねじ孔５２は、スピーカーボックス４を本体部２の下面Ｓ２３へ取り付ける際に選択的に用いられるねじ孔である。
【００２６】
結合部５Ｂは、詳細は後述するが、スピーカーボックス４側との結合に選択的に用いられる結合部（取付部）であり、１つのねじ孔５３（貫通孔，第３部材ねじ孔）を有している。このねじ孔５３は、スピーカーボックス４を本体部２の背面Ｓ２２へ取り付ける際に選択的に用いられるねじ孔である。
【００２７】
（取付ねじ６Ａ，６Ｂ）
取付ねじ６Ａ，６Ｂはそれぞれ、詳細は後述するが、取付部材５を介してスピーカーボックス４を本体部の下面Ｓ２３または背面Ｓ２２へ取り付ける際に用いられるねじである。具体的には、リアカバー２５におけるねじ孔２５１，２５２と、筺体４１におけるねじ孔４３１，４３２等と、取付部材５におけるねじ孔５１，５２，５３とを用いて、これらの取付ねじ６Ａ，６Ｂがねじ止めされることにより、上記の取り付け（固定化）がなされるようになっている。
【００２８】
［表示装置１の作用・効果］
（１．基本動作）
この表示装置１では、電子基板２３上の各電子部品２４による制御に従って、表示パネル２２上の各画素（表示素子）において表示動作がなされ、映像表示が行われる。このようにして表示パネル２２上に表示された映像は、前面板２１を通して本体部２の前面Ｓ２１側において、ユーザ（視聴者）による視認が可能となる。また、例えば電子基板２３上の各電子部品２４による制御に従って、スピーカーボックス４内の各スピーカーユニット４０から音声が出力され、ユーザにおいて聴くことが可能となる。
【００２９】
（２．スピーカーボックス４の取付態様について）
次に、本開示の特徴的部分の１つであるスピーカーボックス４の取付態様（スピーカーユニット４０の配置態様）について、比較例（比較例１，２）と比較しつつ詳細に説明する。
【００３０】
（２−１．比較例１）
図４は、比較例１に係る表示装置（表示装置１０１Ａ，１０１Ｂ）の断面構成の一部を模式的に表わしたものであり、（Ａ）は表示装置１０１Ａの断面構成を、（Ｂ）は表示装置１０１Ｂの断面構成を、それぞれ示している。この比較例１の表示装置１０１Ａ，１０１Ｂはそれぞれ、本体部１０２Ａ，１０２Ｂ内（ここでは、本体部１０２Ａ，１０２Ｂにおける下面Ｓ２３側の端部領域）にスピーカーユニット４０を内蔵した構成となっている。
【００３１】
具体的には、図４（Ａ）に示した表示装置１０１Ａでは、音声Ｓoutが下方向（Ｙ軸方向の負側）に出力されるように、表示パネル２２の下側にスピーカーユニット４０が内蔵配置されている。このため、この表示装置１０１Ａでは、額縁領域の幅Ｗ１０１Ａが比較的大きくなる一方、本体部１０２Ａの厚み（奥行き）Ｔ１０１Ａが比較的小さくなることから、薄型化を重視した使用態様である、いわゆる壁掛型として好適な構成となっている。
【００３２】
一方、図４（Ｂ）に示した表示装置１０１Ｂでは、音声Ｓoutが下方向に出力されるように、表示パネル２２、電子基板２３および電子部品２４等の背面側にスピーカーユニット４０が内蔵配置されている。このため、この表示装置１０１Ｂでは、額縁領域の幅Ｗ１０１Ｂが比較的小さくなる一方、本体部１０２Ａの厚みＴ１０１Ｂが比較的大きくなることから、狭額縁化を重視した使用態様である、いわゆる据置型として好適な構成となっている。
【００３３】
このように比較例１の表示装置１０１Ａ，１０１Ｂでは、使用態様（据置型や壁掛型などの設置方式等）などが予め固定化された構成であるため、ユーザにおける利便性が低くなってしまう。
【００３４】
（２−２．比較例２）
図５は、比較例２に係る表示装置（表示装置２０１）の断面構成の一部を模式的に表わしたものである。この比較例２の表示装置２０１は、本体部２０２と、スピーカーユニット４０を内蔵するスピーカーボックス２０４と、２つ（２種類）の取付部材２０５Ａ，２０５Ｂと、２つの取付ねじ６Ａ，６Ｂとを備えている。
【００３５】
この比較例２では、上記比較例１とは異なり、スピーカーボックス２０４が、本体部２０２における下面Ｓ２３および背面Ｓ２２のうちの一方に対して選択的に着脱可能となっている。
【００３６】
具体的には、図５（Ａ）に示した例では、本体部２０２の下面Ｓ２３と筺体４１の背面Ｓ４１とが互いに接触するようにして、スピーカーボックス２０４が本体部２０２の下面Ｓ２３へ取り付けられており、音声Ｓoutが下方向に出力されるようになっている。このとき、詳細には、下面Ｓ２３への取付時専用の平板状の取付部材２０５Ａを介して、取付ねじ６Ａが本体部２０２のリアカバー２５へねじ止めされると共に、取付ねじ６Ｂがスピーカーボックス２０４における筺体４１の下面Ｓ４２へねじ止めされることにより、上記の取り付けがなされている。この場合、表示装置２０１では、本体部２０２の厚みＴ２０１Ａが比較的小さくなることから、薄型化を重視した使用態様である壁掛型として好適な構成となっている。
【００３７】
一方、図５（Ｂ）に示した例では、本体部２０２の背面Ｓ２２と筺体４１の上面Ｓ４３とが互いに接触するようにして、スピーカーボックス２０４が本体部２０２の背面Ｓ２２へ取り付けられており、音声Ｓoutが下方向に出力されるようになっている。このとき、詳細には、背面Ｓ２２への取付時専用のＬ字状の取付部材２０５Ｂを介して、取付ねじ６Ａが本体部２０２のリアカバー２５へねじ止めされると共に、取付ねじ６Ｂがスピーカーボックス２０４における筺体４１の背面Ｓ４１へねじ止めされることにより、上記の取り付けがなされている。この場合、表示装置２０１では、額縁領域の幅Ｗ２０１Ｂが比較的小さくなることから、狭額縁化を重視した使用態様である据置型として好適な構成となっている。
【００３８】
このように比較例２の表示装置２０１では、上記比較例１とは異なり、スピーカーボックス２０４の本体部２０２への取付態様に応じて、使用態様（据置型や壁掛型などの設置方式等）などが調整可能となっている。したがって、表示装置２０１の使用態様等に応じた、本体部２０２へのスピーカーボックス２０４の取付態様の多様化が実現されており、上記比較例１と比べ、ユーザにおける利便性の向上が可能となる。
【００３９】
しかしながらこの比較例２では、上記したように、本体部２０２の下面Ｓ２３への取付時と背面Ｓ２２への取付時とで、別々の（個別の，専用の）取付部材２０５Ａ，２０５Ｂが用いられている。したがって、各々の取付時において使用しない（不要となる）部材（取付部材２０５Ａまたは取付部材２０５Ｂ）が存在することになり、２種類の取付部材が必要となる分、部材コストが増大してしまう。
【００４０】
（２−３．本実施の形態の作用）
これに対して本実施の形態の表示装置１では、図１〜図３に示したように、まず、上記比較例２と同様に、スピーカーボックス４が、本体部２における下面Ｓ２３および背面Ｓ２２のうちの一方に対して選択的に着脱可能となっている。これにより、表示装置１の使用態様（例えば、据置型や壁掛型などの設置方式等）や使用目的（例えば、狭額縁化等のデザイン重視や、スピーカーユニット４０から出力される音質重視等の目的など）等に応じた、本体部２へのスピーカーボックス４の取付態様の多様化が実現される。
【００４１】
また、この本体部２へのスピーカーボックス４の取付の際には、下面Ｓ２３への取付時および背面Ｓ２２への取付時の双方において、単一の取付部材５（および取付ねじ６Ａ，６Ｂ）が共通して用いられる（共用化されている）。これにより、下面Ｓ２３への取付時と背面Ｓ２２への取付時とで別々の取付部材が用いられる上記比較例２とは異なり、各々の取付時において使用しない（不要となる）部材（取付部材）が存在しなくなる。すなわち、各々の取付時において、単一の取付部材５を用いるだけで済むことになる。
【００４２】
ここで、図６〜図８を参照して、表示装置１の使用態様（スピーカーボックス４の取付態様）について、詳細に説明する。
【００４３】
（第１の使用態様）
まず、図６（Ａ），（Ｂ）に示した第１の使用態様では、本体部２の下面Ｓ２３と筺体４１の背面Ｓ４１とが互いに接触するようにして、スピーカーボックス４が本体部２の下面Ｓ２３へ取り付けられており、音声Ｓoutが下方向に出力されるようになっている。このとき、詳細には、取付部材５におけるねじ孔５１と本体部２のリアカバー２５におけるねじ孔２５２とを用いて、取付ねじ６Ａがねじ止めされることにより、本体部２における背面Ｓ２２と取付部材５における結合部５Ａとが互いに結合されている。また、取付部材５におけるねじ孔５２と、スピーカーボックス４の筺体４１におけるねじ孔４３２とを用いて、取付ねじ６Ｂがねじ止めされることにより、スピーカーボックス４の筺体４１における下面Ｓ４２と、取付部材５における結合部５Ａとが互いに結合されている。更に、取付部材５における結合部５Ｂが、スピーカーボックス４の筺体４１における取付用孔４２２に挿入されることにより、スピーカーボックス４の筺体４１における下面Ｓ４２と、取付部材５における結合部５Ｂとが互いに結合されている。
【００４４】
この第１の使用態様では、表示装置１において本体部２の厚みＴ１が比較的小さくなることから、薄型化を重視した使用態様である壁掛型として好適な構成となっている。また、スピーカーユニット４０からの音声Ｓoutが下方向に出力される（ユーザ側に出力されるわけではない）ことから、音声重視というよりはデザイン重視の構成であると言える。
【００４５】
（第２の使用態様）
一方、図７（Ａ），（Ｂ）に示した第２の使用態様では、本体部２の下面Ｓ２３と筺体４１の上面Ｓ４３とが互いに接触するようにして、スピーカーボックス４が本体部２の下面Ｓ２３へ取り付けられており、音声Ｓoutがユーザ側（Ｚ軸方向の正側）に出力されるようになっている。このとき、詳細には、取付部材５におけるねじ孔５１と本体部２のリアカバー２５におけるねじ孔２５２とを用いて、取付ねじ６Ａがねじ止めされることにより、本体部２における背面Ｓ２２と取付部材５における結合部５Ａとが互いに結合されている。また、取付部材５におけるねじ孔５２と、スピーカーボックス４の筺体４１におけるねじ孔４３１とを用いて、取付ねじ６Ｂがねじ止めされることにより、スピーカーボックス４の筺体４１における背面Ｓ４１と、取付部材５における結合部５Ａとが互いに結合されている。更に、取付部材５における結合部５Ｂが、スピーカーボックス４の筺体４１における取付用孔４２１に挿入されることにより、スピーカーボックス４の筺体４１における背面Ｓ４１と、取付部材５における結合部５Ｂとが互いに結合されている。
【００４６】
この第２の使用態様においても上記第１の使用態様と同様に、表示装置１において本体部２の厚みＴ１が比較的小さくなることから、薄型化を重視した使用態様である壁掛型として好適な構成となっている。また、スピーカーユニット４０からの音声Ｓoutがユーザ側に出力されることから、上記第１の使用態様とは異なり、音声重視とデザイン重視とを両立させた（両者のバランスを図った）構成であると言える。
【００４７】
（第３の使用態様）
他方、図８（Ａ），（Ｂ）に示した第３の使用態様では、本体部２の背面Ｓ２２と筺体４１の上面Ｓ４３とが互いに接触するようにして、スピーカーボックス４が本体部２の背面Ｓ２２へ取り付けられており、音声Ｓoutが下方向に出力されるようになっている。このとき、詳細には、取付部材５におけるねじ孔５１と本体部２のリアカバー２５におけるねじ孔２５１とを用いて、取付ねじ６Ａがねじ止めされることにより、本体部２における背面Ｓ２２と取付部材５における結合部５Ａとが互いに結合されている。また、取付部材５におけるねじ孔５３と、スピーカーボックス４の筺体４１における取付用孔４２１とを用いて、取付ねじ６Ｂがねじ止めされることにより、スピーカーボックス４の筺体４１における背面Ｓ４１と、取付部材５における結合部５Ｂとが互いに結合されている。
【００４８】
この第３の使用態様では、上記第１および第２の使用態様とは異なり、表示装置１において額縁領域の幅Ｗ１が比較的小さくなることから、狭額縁化を重視した使用態様である据置型として好適な構成となっている。また、第１の使用態様と同様に、スピーカーユニット４０からの音声Ｓoutが下方向に出力される（ユーザ側に出力されるわけではない）ことから、音声重視というよりはデザイン重視の構成であると言える。
【００４９】
以上のように本実施の形態では、スピーカーボックス４が本体部２における下面Ｓ２３および背面Ｓ２２のうちの一方に対して選択的に着脱可能となっていると共に、下面Ｓ２３への取付時および背面Ｓ２２への取付時の双方において取付部材５が共通して用いられるようにしたので、本体部２へのスピーカーボックス４の取付態様の多様化を実現しつつ、各々の取付時に不要となる部材（取付部材）をなくすことができる。よって、ユーザにおける利便性を向上させつつ、部材コストを低減することが可能となる。
【００５０】
＜変形例＞
続いて、上記実施の形態の変形例（変形例１，２）について説明する。なお、上記実施の形態と同一の構成要素については同一符号を付し、その説明を適宜省略する。
【００５１】
［変形例１］
図９（Ａ），（Ｂ）はそれぞれ、変形例１に係る表示装置１の概略構成を模式的に斜視図で表わしたものである。本変形例の表示装置１では、上記実施の形態の表示装置１とは異なり、スピーカーボックス４が、本体部２における側面のうちの上面と、背面Ｓ２２とのうちの一方に対して選択的に着脱可能となっている。
【００５２】
具体的には、図９（Ａ）に示した使用態様では、スピーカーボックス４が本体部２の上面に対して取り付けられており、例えば、スピーカーユニット４０からの音声Ｓoutがユーザ側に出力されるようになっている。この使用態様では、表示装置１において本体部２の厚みＴ１が比較的小さくなることから、薄型化を重視した使用態様である壁掛型として好適な構成となっている。
【００５３】
一方、図９（Ｂ）に示した使用態様では、スピーカーボックス４が本体部２の背面Ｓ２２に対して取り付けられており、例えば、スピーカーユニット４０からの音声Ｓoutが上方向に出力されるようになっている。この使用態様では、表示装置１において額縁領域の幅Ｗ１が比較的小さくなることから、狭額縁化を重視した使用態様である据置型として好適な構成となっている。
【００５４】
このように、スピーカーボックス４が、本体部２における他の側面（ここでは上面）と、背面Ｓ２２とのうちの一方に対して選択的に着脱可能となっているようにしてもよい。
【００５５】
［変形例２］
図１０（Ａ），（Ｂ）はそれぞれ、変形例２に係る表示装置１の概略構成を模式的に斜視図で表わしたものである。本変形例の表示装置１では、上記実施の形態および変形例１とは異なり、スピーカーボックス４が、本体部２における側面のうちの右面および左面の双方と、背面Ｓ２２とのうちの一方に対して選択的に着脱可能となっている。したがって、この変形例２では、表示装置１は、各々が１つのスピーカーユニット４０（右用または左用）を内蔵する２つのスピーカーボックス４を備えた構成となっている。
【００５６】
具体的には、例えば図１０（Ａ）に示した使用態様では、２つのスピーカーボックス４が、本体部２の右面および左面に対して取り付けられており、例えば、スピーカーユニット４０からの音声Ｓoutがユーザ側に出力されるようになっている。この使用態様では、表示装置１において本体部２の厚みＴ１が比較的小さくなることから、薄型化を重視した使用態様である壁掛型として好適な構成となっている。
【００５７】
一方、図１０（Ｂ）に示した使用態様では、２つのスピーカーボックス４がそれぞれ、本体部２の背面Ｓ２２に対して取り付けられており、例えば、スピーカーユニット４０からの音声Ｓoutが左右方向（Ｘ軸方向）に出力されるようになっている。この使用態様では、表示装置１において額縁領域の幅Ｗ１が比較的小さくなることから、狭額縁化を重視した使用態様である据置型として好適な構成となっている。
【００５８】
このように、スピーカーボックス４が、本体部２における他の側面（ここでは右面および左面の双方）と、背面Ｓ２２とのうちの一方に対して選択的に着脱可能となっているようにしてもよい。
【００５９】
＜その他の変形例＞
以上、実施の形態および変形例を挙げて本開示の技術を説明したが、本技術はこれらの実施の形態等に限定されず、種々の変形が可能である。
【００６０】
例えば、上記実施の形態等では、本体部２、スピーカーボックス４および取付部材５等の構成を具体的に挙げて説明したが、これらの構成には限られず、他の構成となっていてもよい。すなわち、例えば、スピーカーボックス４における各取付用孔４２１，４２２や各ねじ孔４３１，４３２の数や位置、締結手法（ねじ止めには限られず、例えば、取り外し可能なリベットやラッチ等を用いてもよい）などについては、上記実施の形態等で説明したものには限られず、他の構成となっていてもよい。
【００６１】
また、スピーカーボックス４において、筺体４１内のスピーカーユニット４０の向き（配置方向）については、上記実施の形態等で挙げた向きから多少傾斜配置されていてもよく、更に、その向きを自在に変化させることが可能となっていてもよい。
【００６２】
なお、本技術は以下のような構成を取ることも可能である。
（１）
第１前面、第１背面および第１側面を有する本体部と、
１または複数のスピーカーユニットと前記スピーカーユニットを収容する筺体とを有し、前記本体部における前記第１側面および前記第１背面のうちの一方に対して選択的に着脱可能な１または複数のスピーカーボックスと、
前記スピーカーボックスの前記第１側面への取付時および前記第１背面への取付時の双方において共通して用いられる取付部材と
を備えた表示装置。
（２）
前記取付部材は、
前記本体部側との結合および前記スピーカーボックス側との結合の双方に用いられる第１結合部と、
前記スピーカーボックス側との結合に選択的に用いられる第２結合部と
を有する上記（１）に記載の表示装置。
（３）
前記第１結合部は、前記第１側面への取付時および前記第１背面への取付時の双方において用いられる第１部材ねじ孔と、前記第１側面への取付時に選択的に用いられる第２部材ねじ孔とを有し、
前記第２結合部は、前記第１背面への取付時に選択的に用いられる第３部材ねじ孔を有する
上記（２）に記載の表示装置。
（４）
前記筺体は、前記スピーカーユニットの配置方向により規定される、第２前面、第２背面および第２側面を有し、
前記第２背面および前記第２側面にそれぞれ、前記本体部への取付時に用いられる孔が設けられている
上記（３）に記載の表示装置。
（５）
前記第２背面に、前記孔としての第１取付用孔および第１スピーカーねじ孔が設けられ、
前記第２側面に、前記孔としての第２取付用孔および第２スピーカーねじ孔が設けられている
上記（４）に記載の表示装置。
（６）
前記本体部における前記第１背面に、この第１背面への取付時に選択的に用いられる第１本体ねじ孔と、前記第１側面への取付時に選択的に用いられる第２本体ねじ孔とが設けられている
上記（５）に記載の表示装置。
（７）
前記第１側面と前記第２背面とが接触するようにして、前記スピーカーボックスが前記第１側面へ取り付けられる際には、
前記第１部材ねじ孔と前記第２本体ねじ孔とを用いてねじ止めされることにより、前記本体部における前記第１背面と前記第１結合部とが互いに結合され、
前記第２部材ねじ孔と前記第２スピーカーねじ孔とを用いてねじ止めされることにより、前記スピーカーボックスにおける前記第２側面と前記第１結合部とが互いに結合され、
前記第２結合部が前記第２取付用孔に挿入されることにより、前記スピーカーボックスにおける前記第２側面と前記第２結合部とが互いに結合されている
上記（６）に記載の表示装置。
（８）
前記第１側面と前記第２側面とが接触するようにして、前記スピーカーボックスが前記第１側面へ取り付けられる際には、
前記第１部材ねじ孔と前記第２本体ねじ孔とを用いてねじ止めされることにより、前記本体部における前記第１背面と前記第１結合部とが互いに結合され、
前記第２部材ねじ孔と前記第１スピーカーねじ孔とを用いてねじ止めされることにより、前記スピーカーボックスにおける前記第２背面と前記第１結合部とが互いに結合され、
前記第２結合部が前記第１取付用孔に挿入されることにより、前記スピーカーボックスにおける前記第２背面と前記第２結合部とが互いに結合されている
上記（６）に記載の表示装置。
（９）
前記第１背面と前記第２側面とが接触するようにして、前記スピーカーボックスが前記第１背面へ取り付けられる際には、
前記第１部材ねじ孔と前記第１本体ねじ孔とを用いてねじ止めされることにより、前記本体部における前記第１背面と前記第１結合部とが互いに結合され、
前記第３部材ねじ孔と前記第１取付用孔とを用いてねじ止めされることにより、前記スピーカーボックスにおける前記第２背面と前記第２結合部とが互いに結合されている
上記（６）に記載の表示装置。
（１０）
前記筺体は、前記スピーカーユニットの配置方向により規定される、第２前面、第２背面および第２側面を有し、
前記第２背面および前記第２側面にそれぞれ、前記本体部への取付時に用いられる孔が設けられている
上記（１）または（２）に記載の表示装置。
（１１）
前記第２背面に、前記孔としての第１取付用孔および第１スピーカーねじ孔が設けられ、
前記第２側面に、前記孔としての第２取付用孔および第２スピーカーねじ孔が設けられている
上記（１０）に記載の表示装置。
（１２）
前記本体部における前記第１背面に、この第１背面への取付時に選択的に用いられる第１本体ねじ孔と、前記第１側面への取付時に選択的に用いられる第２本体ねじ孔とが設けられている
上記（１）、（２）、（１０）または（１１）のいずれか１項に記載の表示装置。
（１３）
前記スピーカーボックスが、前記第１側面としての下面または上面と、前記第１背面とのうちの一方に対して選択的に着脱可能となっている
上記（１）ないし（１２）のいずれか１項に記載の表示装置。
（１４）
前記スピーカーボックスが、前記第１側面としての右面および左面と、前記第１背面とのうちの一方に対して選択的に着脱可能となっている
上記（１）ないし（１２）のいずれか１項に記載の表示装置。
（１５）
前記本体部が、液晶表示素子または有機ＥＬ表示素子を用いて構成されている
上記（１）ないし（１４）のいずれか１項に記載の表示装置。
【符号の説明】
【００６３】
１…表示装置、２…本体部、２１…前面板、２２…表示パネル、２３…電子基板、２４…電子部品、２５…リアカバー、２５１，２５２…ねじ孔、２６…枠体、３…スタンド、４…スピーカーボックス、４０…スピーカーユニット、４１…筐体、４２１，４２２…取付用孔、４３１，４３２…ねじ孔、５…取付部材、５Ａ，５Ｂ…結合部、５１，５２，５３…ねじ孔、６Ａ，６Ｂ…取付ねじ、Ｓ２１…前面、Ｓ２２…背面、Ｓ２３…下面、Ｓ４１…背面、Ｓ４２…下面、Ｓ４３…上面、Ｓ４４…前面、Ｔ１…厚み、Ｗ１…幅、Ｓout…音声。
【図１】
2013012869.tif 000003
【図２】
2013012869.tif 000004
【図３】
2013012869.tif 000005
【図４】
2013012869.tif 000006
【図５】
2013012869.tif 000007
【図６】
2013012869.tif 000008
【図７】
2013012869.tif 000009
【図８】
2013012869.tif 000010
【図９】
2013012869.tif 000011
【図１０】
2013012869.tif 000012